(57)【要約】  ５層の実質的に平べったい積層体を形成するよう低密度ポリウレタンの第１の成形要素を高密度ポリウレタンの第２の成形要素の上に重ね合わせて構成した履物用ソール。【選択図】図１
2013509206.tif 000002
【特許請求の範囲】
【請求項１】
重ね合わされた様々な密度の成形要素から成る積層体を含む、履物用ソール。
【請求項２】
所与の密度の第１の成形要素が異なる密度の第２の成形要素の上に重ね合わされて実質的に平らな積層体を形成する、請求項１記載の履物用ソール。
【請求項３】
前記要素のうちの一方は、高密度ポリウレタンで作られ、他方の要素は、低密度ポリウレタンで作られている、請求項２記載の履物用ソール。
【請求項４】
前記低密度ポリウレタン要素は、前記高密度ポリウレタン要素の上方に位置決めされている、請求項３記載の履物用ソール。
【請求項５】
前記要素は、互いに接合されている、請求項１〜４のいずれか１項に記載の履物用ソール。
【請求項６】
前記高密度ポリウレタンは、６５度から７０度までの範囲にある剛性を有し、前記低密度ポリウレタンは、４５度から５０度までの範囲にある剛性を有する、請求項３記載の履物用ソール。
【請求項７】
請求項１〜６のいずれか１項に記載のソールを有する、ぞうり。
【発明の詳細な説明】
【技術分野】
【０００１】
本発明は、矯正用履物、特に矯正用器具を備えた履物用ソールに関する。
【背景技術】
【０００２】
足療医は、足部疾患の治療の際、履物中への矯正器具の使用を推奨する場合が多い。矯正器具は、足の物理的屈曲特性及び耐力特性を向上させるために用いられる成形ゴム又はプラスチック製インサートである。足療医は又、品質不良及び不適切な履物を足に関する多くの生体力学的問題の原因としている。フリップフロップ（flip flop）又はジャンダル（jandal）と呼ばれる場合のあるぞうりは、本質的にトウストラップによって足に当てて保持される平べったいゴム又はプラスチック製ソールを有する非常に普及している履物である。ぞうりは、安価であり、入手し易くしかもカジュアルなファッション品として見られる。かくして、ぞうりは、世界中で人気がある。
【発明の概要】
【発明が解決しようとする課題】
【０００３】
しかしながら、残念なことには、ぞうりは、足療医が履物から得ることが必要とする矯正的支持をもたらさない。さらに、そうりは、ファッション品として見られるので、ぞうり中への矯正器具の組み込みにより、実質的に、これらの商業的魅力が損なわれる。
【課題を解決するための手段】
【０００４】
本発明は、これらの問題に鑑みてなされたものである。
【０００５】
本発明の一観点によれば、履物用ソールであって、様々な密度の重ね合わされた成形要素から成る積層体を含むことを特徴とする履物用ソールが提供される。
【０００６】
本明細書で用いられる「ソール」という用語は、履物のソール全体又は履物のソールのコンポーネント層を含むものと理解されたい。この用語は又、履物の内部に配置可能なインサートを含む。
【０００７】
好ましくは、所与の密度の第１の成形要素が異なる密度の第２の成形要素の上に重ね合わされて実質的に平べったい積層体が形成される。好ましい実施形態では、これら要素は、製造中、互いに融着される。好ましくは、要素のうちの一方は、高密度ポリウレタンで作られ、他方の要素は、低密度ポリウレタンで作られる。これら要素は、種々のタイプの矯正支持をもたらすような輪郭形状のものである。
【０００８】
好ましい実施形態では、ソールは、特定の患者の問題に特有ではなく、一般使用向きに設計される。他の実施形態では、ソールは、種々の足の問題への足療医による解決策を提供するよう特注可能である。
【０００９】
好ましくは、ソールは、トウストラップを支持する穴を備えたぞうりのソールである。
【００１０】
他の実施形態では、ソールは、オープンサンダルやスポーツシューズを含む種々の履物中に組み込み可能である。
【００１１】
次に、添付の図面を参照して本発明の実施形態を説明するが、これは例示に過ぎない。
【図面の簡単な説明】
【００１２】
【図１】本発明のソールを有するぞうりの斜視図である。
【図２】ソールを構成する積層体の一部をなす第１の下側要素の斜視図である。
【図３】積層体の他の部分を形成する第２の上側要素の斜視図である。
【図４ａ】本発明の一実施形態であるソールの平面図である。
【図４ｂ】図４ａのＡＡ線に沿ったソールの断面図である。
【図４ｃ】図４ａのＢＢ線に沿ったソールの断面図である。
【図４ｄ】図４ａのＣＣ線に沿ったソールの断面図である。
【図４ｅ】図４ａのＤＤ線に沿ったソールの断面図である。
【図５ａ】ソールの別の平面図である。
【図５ｂ】図５ａのＥＥ線に沿った断面図である。
【図５ｃ】図５ａのＦＦ線に沿った断面図である。
【図５ｄ】図５ａのＧＧ線に沿った断面図である。
【図５ｅ】図５ａのＨＨ線に沿った断面図である。
【図５ｆ】図５ａのＩＩ線に沿った断面図である。
【図５ｇ】図５ａのＪＪ線に沿った断面図である。
【図５ｈ】図５ａのＫＫ線に沿った断面図である。
【図５ｉ】図５ａのＬＬ線に沿った断面図である。
【図６】後ろから見た足回内運動を示す図である。
【図７】後ろから見た足回外運動を示す図である。
【図８】中立位置にある足の背面図である。
【発明を実施するための形態】
【００１３】
添付の図面の図１及び図２は、フリップフロップ又はジャンダルと呼ばれる場合のあるぞうり１０を示している。ぞうり１０は、履物の非常に人気のある形態であり、通常、ゴム又はプラスチック製の実質的に平べったいソール１１を有し、トウストラップ２０が、ソール１１の前部に設けられた単一の穴１６を貫通し、次にソール１１の長手方向の長さに沿ってほぼ真ん中に設けられた一対の互いに間隔を置いた穴１７，１８を貫通することによりソールに固定されている。ぞうり１０は、非常に人気のある一カジュアルウェアになっており、ぞうりは、世界中において多量に販売されている。
【００１４】
残念ながら、足療医は、生体力学的支持の観点でぞうりの備えている特性が標準以下であると考えている。
【００１５】
添付の図面に示されているぞうり１０のソール１１は、図３に示されている下側要素１２と図４に示されている上側要素１３の積層体として形成されている。各要素１２，１３は、或る程度の矯正支持度を提供するが、これら２つの要素が製造中、互いに重ね合わされて融着されると、これら要素は、ソール１１が従来型ぞうりのソールのように見えるような図１及び図２に示された実質的に平べったい輪郭形状を取る。しかしながら、ソール１１の矯正的特性は、要素１２，１３の輪郭形状及びこれらの製造の際の互いに異なる密度のプラスチックの使用により生じる。
【００１６】
かくして、下側要素１２は、隆起したヒール制御領域１５を有するような輪郭形状のものであり、高密度ポリウレタンで作られている。上側要素１３は、これとは異なる輪郭形状の表面を有し、低密度ポリウレタンで作られている。
【００１７】
高密度ポリウレタンは、６５度〜７０度の剛性を有し、他方、低密度ポリウレタンは、４５度〜５０度の剛性を有する。２つの要素１２，１３を互いに融着させると、これら要素は、図１及び図２に示された実質的に平べったい積層構造体１１を形成する。要素１２，１３は、あらかじめ位置決めされた固定穴、即ち、ソールの前部寄りの中央穴１６及びソール１１の長手方向長さの中間部に隣接して設けられた２つの互いに間隔を置いた穴１７，１８を備えている。これら穴１６，１７，１８は図１及び図２に示されているようにトウストラップ２０を受け入れる。
【００１８】
図６及び図７では、従来型ソールＳが使用状態で示されている。図６は、足首Ａが内側部Ｍ上で内方に傾いた典型的な回内運動の問題を示している。図７は、この場合も又、足首Ａが外側部Ｌ上で外方に傾いている回外運動の問題を示している。図８に示されたソール１１、即ち、本願の矯正用ソールを用いると、足首Ａは、内側部Ｍ又は外側部Ｌのいずれにも傾かないで中立位置を取る。このソール１１は、適度の生体力学的矯正支持を保証すると共にぞうりの全体的外観を変えないで専門家の必要とする矯正支持作用を従来型ぞうりに提供する足病学的品質を提供する。
【００１９】
本発明のソール１１の要素１２，１３の輪郭形状は、不安定位置における足の回内運動／回外運動の傾向を減少させるだけでなく歩行の際に足の安定性及び制御具合の向上を容易にする。これは、歩行の踏み出し段階の際、中足根関節及び距骨下関節の「ロック（係止）」状態を生じさせ、支持組織、例えば筋肉や靱帯に加わる応力を最小限に抑えることによって達成される。かくして、生体力学的異常、例えば回内運動／回外運動の発生の恐れ及びこれらの後遺症の恐れが減少する。
【００２０】
これは、図４及び図５に示されているように密度が高い下層起伏要素１２の以下の特性によって達成される。
・後側足支持部（ａ）の１０°に近い内反角度（図５ｂ及び図５ｃ）。
・距骨領域（ｂ１）の内側足底領域の下に位置していて、中足領域（ｂ２）中に延びて足の距骨内反が最小限になるように抑えると共に内側縦足弓（ｂ）を支持する盛り上がり輪郭形状（図４ｅ）。
・内側弓支持部から前方に延びていて、前（横足）弓支持を形成する盛り上がり輪郭形状（図４ｄ）。
・外側中足骨（立方根）及び第５中足骨の下に位置していて、歩行の踏み出し段階の際、中足根関節及び距骨下関節を「ロック（係止）」する（踵骨からの）延長盛り上がり（〜５ｍｍ）輪郭形状（ｃ）（図４ｂ）。
・この延長外側輪郭形状は、外側中足骨領域中に十分に延びて足の距骨外反が最小限になるように抑えると共に外側弓を支持する（図４ｃ）。
【００２１】
支持輪郭形状を備えた高密度下側要素１２は、ソールの全体サイズにわたって延びる。この場合、下側要素は、下側要素と重ね合わせることができる逆向き合同の輪郭形状を有する低密度上側要素１３により覆われると共に互いに成形され又は糊付けされる。この技術的思想により、制御用の下側要素上への足の十分な調節作用を備えた平べったく見えるソールが提供される。換言すると、平べったいソール１１を備えたぞうり１０は、矯正用支持層を有する。
【００２２】
更に、上側低密度層１３は、下側高密度層１２と一緒になって、独特の二重衝撃吸収効果をもたらす。上側層は、体重をより堅固な下側層上に伝達させているとき、分散性の衝撃吸収効果を生じさせ、下側高密度層を通る力は、標準の垂直状態に差し向けられる。
【００２３】
好ましい実施形態はぞうりに関するが、本発明は、スポーツ用履物を含む広範な履物に使用できるインサートを備えた広範なソールに利用できることは言うまでもない。
【００２４】
上述のソールは、目に見えない内蔵三重弓部、即ち、内側及び外側のインサート並びにソールの横方向の弓部を介して回内運動と回外運動の両方に対する支持作用をもたらす。下側ソール要素のヒールの幅方向の傾斜により、後側足制御が得られる。このソールは又、中足領域のロック（係止）状態をもたらすと共に上側及び下側ソール要素の互いに異なる衝撃吸収性能により得られる二重衝撃吸収作用をもたらす。これら特徴の全ては、１つの実質的に平べったいソール中に提供される。
【００２５】
ソールの生体力学的及び矯正学的品質は、これらが広範な足病学的問題の矯正手段による改善を提供するよう一般的な意味で設計されている。しかしながら、ソールは、特定の問題を取り扱うよう特注可能であると共にかかるソールの特注は、プラスチックの密度の選択及び要素の輪郭形状作りに係わることは言うまでもない。
【００２６】
原文特許請求の範囲及び本発明の原文明細書において言語及び必要な示唆の表現に起因して文脈上必要とする以外、“comprise”（翻訳文では、「〜を有する」又は「〜を含む」と訳されている場合が多い）という用語又は変形語、例えば“comprises”又は“comprising”という用語は、非排他的に用いられており、即ち、記載した特徴の存在を特定するが、本発明の種々の実施形態における別の特徴の存在又は追加を排除するものではないように用いられている。
【図１】
2013509206.tif 000003
【図２】
2013509206.tif 000004
【図３】
2013509206.tif 000005
【図４ａ】
2013509206.tif 000006
【図４ｂ】
2013509206.tif 000007
【図４ｃ】
2013509206.tif 000008
【図４ｄ】
2013509206.tif 000009
【図４ｅ】
2013509206.tif 000010
【図５ａ】
2013509206.tif 000011
【図５ｂ】
2013509206.tif 000012
【図５ｃ】
2013509206.tif 000013
【図５ｄ】
2013509206.tif 000014
【図５ｅ】
2013509206.tif 000015
【図５ｆ】
2013509206.tif 000016
【図５ｇ】
2013509206.tif 000017
【図５ｈ】
2013509206.tif 000018
【図５ｉ】
2013509206.tif 000019
【図６】
2013509206.tif 000020
【図７】
2013509206.tif 000021
【図８】
2013509206.tif 000022
【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
重ね合わされた様々な密度の成形要素から成る積層体を含む履物用ソールであって、下側の要素は、密度の高い材料で作られた矯正用の輪郭形状に成形されたものであり、前記積層体は、実質的に平らな上面を有する、履物用ソール。
【請求項２】
上側の要素は、低密度ポリウレタンで作られ、前記下側要素は、高密度ポリウレタンで作られている、請求項１記載の履物用ソール。
【請求項３】
前記低密度ポリウレタン要素は、前記高密度ポリウレタン要素の上方に位置決めされている、請求項２記載の履物用ソール。
【請求項４】
前記要素は、互いに接合されている、請求項１〜３のいずれか１項に記載の履物用ソール。
【請求項５】
前記高密度ポリウレタンは、６５度から７０度までの範囲にある剛性を有し、前記低密度ポリウレタンは、４５度から５０度までの範囲にある剛性を有する、請求項２記載の履物用ソール。
【請求項６】
前記下側要素は、内側から外側に１０°〜１５°だけ傾斜した後側足部分を有する、請求項１〜５のいずれか１項に記載の履物用ソール。
【請求項７】
前記下側要素は、内側弓、外側弓及び前方弓を模した弓部を有する、請求項１〜６のいずれか１項に記載の履物用ソール。
【請求項８】
前記下側要素は、中足根関節と距骨下関節との間で足を係止する隆起した輪郭形状を外側距骨及び第５中足骨下に有する、請求項１〜７のいずれか１項に記載の履物用ソール。
【請求項９】
２つの前記要素は、二重衝撃吸収作用を提供する、請求項１〜８のいずれか１項に記載の履物用ソール。
【請求項１０】
請求項１〜９のいずれか１項に記載のソールを有する、ぞうり。
【国際調査報告】
2013509206.tif 000023
2013509206.tif 000024
2013509206.tif 000025